(57)【要約】【課題】本発明は、効果的にシロアリの侵入を防ぐことができる建物の防蟻構造を提供することを目的とする。【解決手段】建物基礎の外周立ち上がり部の屋外側面に、２０℃における水への溶解度が１００ｍｇ／Ｌ以上である殺虫組成物と、アルキド樹脂、アクリル樹脂、アミノ樹脂、ポリウレタン樹脂、エポキシ樹脂、シリコン樹脂、フッ素樹脂、フェノール樹脂、尿素樹脂、ポリエステル樹脂、スチレン樹脂及びビニル樹脂からなる群より選ばれた少なくとも１種類以上の樹脂を含有するもので被覆する。【選択図】図１
2013005771.tif 000002
【特許請求の範囲】
【請求項１】
建物基礎の外周立ち上がり部の屋外側面に、２０℃における水への溶解度が１００ｍｇ／Ｌ以上である殺虫組成物を含有するもので被覆することを特徴とする防蟻構造。
【請求項２】
２０℃における水への溶解度が１００ｍｇ／Ｌ以上である殺虫組成物と、アルキド樹脂、アクリル樹脂、アミノ樹脂、ポリウレタン樹脂、エポキシ樹脂、シリコン樹脂、フッ素樹脂、フェノール樹脂、尿素樹脂、ポリエステル樹脂、スチレン樹脂及びビニル樹脂からなる群より選ばれた少なくとも１種類以上の樹脂を含有することを特徴とする請求項１の防蟻構造。
【発明の詳細な説明】
【技術分野】
【０００１】
本発明は、布基礎やベタ基礎などの基礎の外周立上がり部の屋外側からのシロアリの侵入を防ぐ建物の防蟻構造に関する。
【背景技術】
【０００２】
従来の建物におけるシロアリ防除技術としては、建物の床下の地面から１メートル程度の範囲の木材や建物の下の土壌に、シロアリを駆除できる薬剤を処理する方法やシロアリに少量の薬剤を含む毒餌を摂食させて根絶するベイト工法などの方法が知られている。しかし、上述の建物の床下に薬剤を処理する方法においては、臭気やカビの発生の点で問題がある。また、ベイト工法においては、コロニー全体の活力を衰退させることにあり、その開始から終了までに少なくとも数ヶ月以上を要するという問題がある。
薬剤を使用せずにシロアリの侵入を物理的に阻止する工法も種々提案されている。防蟻シートを、建物基礎に取付けたり、基礎下に敷いて、建物内にシロアリが侵入することを防ぐ防蟻方法が挙げられる。しかし、上述の工法では非常に施工に手間がかかり、また僅かな隙間からシロアリが進入するという問題があった。
【先行技術文献】
【特許文献】
【０００３】
【特許文献１】特開２０００−２４７８１６号公報
【特許文献２】特開２００４−８１６１号公報
【特許文献３】特開平３−１７５９２４号公報
【発明の開示】
【発明が解決しようとする課題】
【０００４】
本発明は、効果的にシロアリの侵入を防ぐことができる建物の防蟻構造を提供することを目的とする。
【課題を解決するための手段】
【０００５】
本発明者は、このような課題を解決するため鋭意研究を行った結果、建物基礎の外周立ち上がり部の屋外側面に、２０℃における水への溶解度が１００ｍｇ／Ｌ以上である殺虫組成物で被覆することによって効果的にシロアリの侵入を防ぐことを見出した。すなわち本発明は、
（１）建物基礎の外周立ち上がり部の屋外側面に、２０℃における水への溶解度が１００ｍｇ／Ｌ以上である殺虫組成物で被覆することを特徴とする防蟻構造。
（２）２０℃における水への溶解度が１００ｍｇ／Ｌ以上である殺虫組成物にアルキド樹脂、アクリル樹脂、アミノ樹脂、ポリウレタン樹脂、エポキシ樹脂、シリコン樹脂、フッ素樹脂、フェノール樹脂、尿素樹脂、ポリエステル樹脂及びスチレン樹脂及びビニル樹脂からなる群より選ばれた少なくとも１種類以上の樹脂を含有することを特徴とする請求項１の防蟻構造。
に関するものである。
【発明の効果】
【０００６】
本発明の防蟻構造を用いることにより、住宅木材部分へのシロアリによる被害を防止することができる。
【図面の簡単な説明】
【０００７】
【図１】図１は防蟻構造の一例を示す住宅基礎の断面図である。
【発明を実施するための最良の形態】
【０００８】
本発明に用いられる、２０℃における１００ｍｇ／Ｌ以上である殺虫組成物としては、１−（６−クロロ−３−ピリジルメチル）−Ｎ−ニトロイミダゾリジン−２−イリデンアミン、（Ｅ）−Ｎ−〔（６−クロロ−３−ピリジニル）メチル〕Ｎ｀−シアノ−Ｎ−メチルエタンイミダミド、３−（２−クロロ−１，３−チアゾール−５−イルメチル）−５−メチル−Ｎ−ニトロ−１，３，５−オキサジアジナン−４−イリデンアミン、（Ｅ）−１−（２−クロロ−１，３−チアゾール−５−イルメチル）−３−メチル−２−ニトログアニジン、３−（６−クロロ−３−ピリジルメチル）−１，３−チアゾリジン−２−イリデンシアナミド、Ｎ−（（６−クロロ−３−ピリジニル）メチル）−Ｎ−エチル−Ｎ‘−メチル−２−ニトロ−１，１−エチンジアミンＯ，Ｓ−ジメチル−Ｎ−アセチルホスホロアミドチオエート、２−メチル−２−メチルホルニプロピオンアルデヒドＯ−メチルカルバモイルオキシム（アルドキシカルブ）、２，２−ジメチル−１，３−ベンゾジオキソル−４−イル  メチルカーバメート、ホスホロジチオ酸Ｏ，Ｏ−ジメチル  Ｓ−（Ｎ−メチルカルバモイルメチル、Ｓ−メチル−Ｎ−［（メチルカルバモイル）−オキシ］−チオアセトイミデート（メソミル）、ホウ酸、硼砂、などが挙げられる。特に、（Ｅ）−１−（２−クロロ−１，３−チアゾール−５−イルメチル）−３−メチル−２−ニトログアニジン及び１−（６−クロロ−３−ピリジルメチル）−Ｎ−ニトロイミダゾリジン−２−イリデンアミンが特に好ましい。
【０００９】
本発明に用いられる樹脂としては、アルキド樹脂、アクリル樹脂、アミノ樹脂、ポリウレタン樹脂、エポキシ樹脂、シリコン樹脂、フッ素樹脂、フェノール樹脂、尿素樹脂、ポリエステル樹脂、スチレン樹脂及びビニル樹脂などが挙げられる。特にアクリル樹脂とシリコン樹脂が好ましい。
【００１０】
本発明の殺虫組成物は、有効成分をそのまま用いても良いが、通常製剤化して用いる。製剤の種類は特に限定されないが、扱いやすさの点から液状の製剤が好ましい。液状の製剤としては、水溶剤、乳剤、油剤、フロアブル剤等を挙げることができるが、これらの製剤に限定されない。さらに、製剤自体の安定化や、処理時の薬液の安定化のために一般の細菌に有効な防腐剤、安定剤、酸化防止剤、キレート剤、防錆剤、消泡剤、ｐＨ調節剤等を添加しても良い。
【００１１】
建物基礎の外周立ち上がり部の屋外側面に、２０℃における水への溶解度が１００ｍｇ／Ｌ以上である殺虫組成物で被覆する場合は、吹きつけ塗布や、刷毛塗り、ロ−ル塗布であっても良い。もちろんこれら以外であってもよいし、処理条件もその薬剤に適する方法を適宜選択すればよい。また、建物基礎の外周立ち上がり部の屋外側面上に化粧モルタルや断熱材がある場合は、その上から２０℃における水への溶解度が１００ｍｇ／Ｌ以上である殺虫組成物で被覆することも可能である。
【実施例】
【００１２】
次に実施例により、さらに詳細に説明するが、本発明はこれらによって限定されるものではない。
【００１３】
本発明の実施例、比較例に用いた殺虫組成物とその２０℃における水溶解度について表１と以下に示す。
化合物Ａ：（Ｅ）−１−（２−クロロ−１，３−チアゾール−５−イルメチル）−３−メチル−２−ニトログアニジン（商品名「タケロックＭＣ５０スーパー」、日本エンバイロケミカルズ株式会社製、化合物Ａを２．５％含有）
化合物Ｂ：１−（６−クロロ−３−ピリジルメチル）−Ｎ−ニトロイミダゾリジン−２−イリデンアミン（商品名「ハチクサンＦＬ」、バイエルクロップサイエンス株式会社製、化合物Ｂを２０％含有）
化合物Ｃ：３−（２−クロロ−１，３−チアゾール−５−イルメチル）−５−メチル−Ｎ−ニトロ−１，３，５−オキサジアジナン−４−イリデンアミン（商品名「ザモックス」、ケミプロ化成株式会社製、化合物Ｃを２０％含有）
化合物Ｄ：  ホウ酸（和光純薬工業株式会社製）
化合物Ｅ：２−（４−エトキシフェニル）−２−メチルプロピル  ３−フェノキシベンジル  エーテル（商品名「メトロフェン乳剤」、三井化学アグロ株式会社製、化合物Ｅを８％含有）
化合物Ｆ：５−アミノ−１−（２，６−ジクロロ−４−トリフルオロメチルフェニル）−３−シアノ−４−トリフルオロメチルスルフィニルピラゾール（商品名「アジェンダＳＣ」、バイエルクロップサイエンス株式会社製、化合物Ｆを９．１％含有）
化合物Ｇ：２−イソプロピル−４−メチルピリミジル−６−ジエチルホスフェイト（商品名「ダイアジノンクリンＥＳ」、住化エンビロサイエンス株式会社製、化合物Ｇを５％含有）
【００１４】
【表１】
2013005771.tif 000003
【００１５】
本発明の実施例、比較例に用いた樹脂について以下に示す。アクリル樹脂エマルション（商品名「ＡＥ１２０Ａ」、株式会社イーテック製）シリコン樹脂エマルション（商品名「Ｍコート５６」、信越化学工業株式会社製）ポリウレタン樹脂エマルション（商品名「ユーコートＵＷＳ−１４５」、三洋化成工業株式会社製）
【００１６】
上記の殺虫組成物と樹脂を用いて表２と表３に示す実施例１〜８、比較例１〜８の製剤を行った。
【００１７】
【表２】
2013005771.tif 000004
【００１８】
【表３】
2013005771.tif 000005
【００１９】
（試験例  防蟻効力試験）実施例及び比較例で製造した組成物に関して防蟻効力試験を行った。１０×１０×６ｃｍのコンクリートブロック表面に実施例１〜８と比較例１〜８の製剤したものを各々１ｋｇ／ｍ２の割合で塗布した。１週間養生させた後、ブロックの上に直径３ｃｍ、高さ１ｃｍのガラスリングを置き、その中にイエシロアリの職蟻２０頭を放飼した。１日後にイエシロアリを観察して致死率を求めた。その結果を表４に示す。
【００２０】
【表４】
2013005771.tif 000006
【産業上の利用可能性】
【００２１】
本発明の防蟻構造を用いることにより、住宅木材部分へのシロアリによる被害を防止することができ、かつ作業性も良好である。
【符号の説明】
【００２２】
１  防蟻構造
２  外周立ち上がり部（コンクリート体）
３  基礎スラブ（コンクリート体）
【図１】
2013005771.tif 000007